(57)【要約】【課題】上方が開放された箱状に形成された運搬用容器に関し、運搬作業時等における利便性を高めた運搬用容器を提供する。【解決手段】運搬用容器１は、軽量シート材により形成された容器基体１０と、硬質プラスチック製の側壁保持部材３０を有しており、上方が開放された箱体状に構成される。側壁保持部材３０は、容器基体１０における長手側壁部１２の端縁全体が挿入される側壁挿入溝３３を有しており、当該側壁挿入溝３３は、各側壁保持部材３０において、前記運搬用容器１の上下方向に伸びており、各長手側壁部１２の端部全体を保持する。側壁保持部材３０の下部には、底部保持溝３７が水平方向に延びており、容器基体１０における底部１１の端部全体を保持する。【選択図】図６
2015145278.tif 000002
【特許請求の範囲】
【請求項１】
上方が開放された箱体の底面を構成する底部と、前記箱体における一対の側面を構成し、前記底部と夫々隣接する少なくとも一対の側壁部と、を有する軽量シート材により形成される容器基体と、
前記底部に対して垂直に立設され、前記箱体の角部分を含む前記箱体の他の側面を構成すると共に、前記容器基体の側壁部を保持する硬質プラスチック製の側壁保持部材と、を有する運搬用容器であって、
前記側壁保持部材は、
前記運搬用容器の上下方向に向かって伸び、前記容器基体の側壁部における端縁全体が挿入される側壁挿入溝を有し、
前記側壁挿入溝は、
前記側壁保持部材の端部の上下にわたって上下方向に延び、前記運搬用容器の外表面を構成する外側保持片と、
前記外側保持片との間に前記側壁部を挿入可能な間隔を隔てつつ上下方向に延び、前記運搬用容器の内側に位置する内側保持片と、を有する
ことを特徴とする運搬用容器。
【請求項２】
請求項１記載の運搬用容器であって、
前記側壁保持部材は、
当該側壁保持部材の下部において水平方向に延び、前記容器基体の底部における端部全体が挿入される底部挿入溝を有し、
前記底部挿入溝は、
前記側壁保持部材の下部において水平方向に延び、前記運搬用容器の底部を構成する外側保持片と、
前記底部挿入溝における外側保持片との間に前記底部を挿入可能な間隔を隔てつつ水平に伸び、前記運搬用容器の内側に位置する内側保持片と、を有する
ことを特徴とする運搬用容器。
【請求項３】
請求項１又は請求項２記載の運搬用容器であって、
前記側壁保持部材は、
前記側壁挿入溝における内側保持片の上部又は下部の何れかにおいて、当該内側保持片の先端を更に延出した延出補強部を有する
ことを特徴とする運搬用容器。
【請求項４】
請求項１乃至請求項３の何れかに記載の運搬用容器であって、
前記側壁保持部材は、
前記外側保持片における先端部分に向かうにつれて、当該外側保持片における外側面が内側面に近づくように傾斜した傾斜部を、前記外側保持片の先端部分全体に有する
ことを特徴とする運搬用容器。
【請求項５】
請求項１乃至請求項４の何れかに記載の運搬用容器であって、
前記側壁保持部材は、
前記運搬用容器の開口縁を構成する前記容器基体における側壁部の端縁に沿って配設された棒状の補強部材が挿入される補強保持部を、前記側壁保持溝の上端部分に有する
ことを特徴とする運搬用容器。
【発明の詳細な説明】
【技術分野】
【０００１】
本発明は、上方が開放された箱状に形成された運搬用容器に関する。
【背景技術】
【０００２】
従来、上方が開放された箱状を為す運搬用容器としては、軽量シート材からなる容器基体と、剛性材料としての硬質プラスチック製の部材を組み合わせて、上方が開放された直方体状のコンテナが構成されている。
【０００３】
上述のような運搬用容器に関する発明として、例えば、特許文献１に記載された発明が知られている。例えば、特許文献１記載の運搬用容器は、軽量シート材を折り曲げて底面及び一対の側壁を有する箱状とした主体に対して、上縁補強部材、下縁補強部材を取り付け、当該上縁補強部材等を介して、他方にあたる一対の側壁を構成する硬質プラスチック製の端部部材を取り付けて構成されている。
【先行技術文献】
【特許文献】
【０００４】
【特許文献１】実公平０２−０１５７８４号公報
【発明の概要】
【発明が解決しようとする課題】
【０００５】
ここで、特許文献１記載の運搬用容器においては、軽量シート材からなる主体の外側面は、硬質プラスチック製の端部部材の一部である側壁保持体材によって覆われており、ボルトやリベット部によって固定されている。主体の内側面は剥き出しであるため、当該運搬用容器において、主体の側面に対して外側面側から負荷がかかってしまうと、ボルトやリベット部での固定のみが効果を奏する。これにより、側壁の変形や主体と端部部材との分離を招く虞が生じ、運搬用容器における利便性を損ねる虞がある。
【０００６】
又、特許文献１記載の運搬用容器において、主体の底板は、端部部材の底板受片に形成された段部に載置されているだけで、底板部分において、主体と端部部材は何ら接合されていない。従って、当該運搬用容器に収容物を入れた場合に、収容物によって底板にかかる荷重によって、底板に撓みが生じる。底板に撓みが生じた結果、底板の端部が底板受片から浮いてしまい、収容物に悪影響を及ぼす虞がある。
【０００７】
そして、特許文献１記載の運搬用容器では、主体の底板は、端部部材の底板受片の上面に形成された段部に載置されている為、底板の下面（当該運搬用容器の底部）に対して、底板受片の厚みに相当する段差が形成される。運搬用容器における外表面に段差が存在すると、運搬作業時や段積み作業時において、段差部分による引っ掛かりが生じやすく、運搬作業等における利便性を損なう虞があった。
【０００８】
本発明は、上方が開放された箱状に形成された運搬用容器に関し、段積み等の作業時における利便性を高めた運搬用容器を提供する。
【課題を解決するための手段】
【０００９】
請求項１に係る運搬用容器は、上方が開放された箱体の底面を構成する底部と、前記箱体における一対の側面を構成し、前記底部と夫々隣接する少なくとも一対の側壁部と、を有する軽量シート材により形成される容器基体と、前記底部に対して垂直に立設され、前記箱体の角部分を含む前記箱体の他の側面を構成すると共に、前記容器基体の側壁部を保持する硬質プラスチック製の側壁保持部材と、を有する運搬用容器であって、前記側壁保持部材は、前記運搬用容器の上下方向に向かって伸び、前記容器基体の側壁部における端縁全体が挿入される側壁挿入溝を有し、前記側壁挿入溝は、前記側壁保持部材の端部の上下にわたって上下方向に延び、前記運搬用容器の外表面を構成する外側保持片と、前記外側保持片との間に前記側壁部を挿入可能な間隔を隔てつつ上下方向に延び、前記運搬用容器の内側に位置する内側保持片と、を有することを特徴とする。
【００１０】
そして、請求項２に係る運搬用容器は、請求項１記載の運搬用容器であって、前記側壁保持部材は、当該側壁保持部材の下部において水平方向に延び、前記容器基体の底部における端部全体が挿入される底部挿入溝を有し、前記底部挿入溝は、前記側壁保持部材の下部において水平方向に延び、前記運搬用容器の底部を構成する外側保持片と、前記底部挿入溝における外側保持片との間に前記底部を挿入可能な間隔を隔てつつ水平に伸び、前記運搬用容器の内側に位置する内側保持片と、を有することを特徴とする。
【００１１】
又、請求項３に係る運搬用容器は、請求項１又は請求項２記載の運搬用容器であって、前記側壁保持部材は、前記側壁挿入溝における内側保持片の上部又は下部の何れかにおいて、当該内側保持片の先端を更に延出した延出補強部を有することを特徴とする。
【００１２】
そして、請求項４に係る運搬用容器は、請求項１乃至請求項３の何れかに記載の運搬用容器であって、前記側壁保持部材は、前記外側保持片における先端部分に向かうにつれて、当該外側保持片における外側面が内側面に近づくように傾斜した傾斜部を、前記外側保持片の先端部分全体に有することを特徴とする。
【００１３】
又、請求項５に係る運搬用容器は、請求項１乃至請求項４の何れかに記載の運搬用容器であって、前記側壁保持部材は、前記運搬用容器の開口縁を構成する前記容器基体における側壁部の端縁に沿って配設された棒状の補強部材が挿入される補強保持部を、前記側壁保持溝の上端部分に有することを特徴とする。
【発明の効果】
【００１４】
請求項１に係る運搬用容器は、軽量シート材により形成された容器基体と、硬質プラスチック製の側壁保持部材を有しており、容器基体により構成される底部及び一対の側壁と、側壁保持部材により構成される他の側壁とを有し、上方が開放された箱体状に構成されている。側壁保持部材は、外側保持片と内側保持片とからなる側壁挿入溝を有しており、前記容器基体の側壁部における端縁全体を保持している。これにより、側壁保持部材における容器基体の側壁部の保持を、側壁挿入溝を構成する外側保持片、内側保持片によって、側壁部の端縁全体にわたって行うことができるので、容器基体と側壁保持部材の接合を確実に行うことができ、利便性を高めることができる。
【００１５】
請求項２に係る運搬用容器によれば、側壁保持部材は、外側保持片と内側保持片とからなる底部挿入溝が側壁保持部材の下部に有しており、前記容器基体の底部における端縁全体を保持している。これにより、側壁保持部材における容器基体の底部の保持を、底部挿入溝を構成する外側保持片、内側保持片によって、底部の端縁全体にわたって行うことができるので、容器基体と側壁保持部材の接合を確実に行うことができ、利便性を高めることができる。又、底部挿入溝は、外側保持片、内側保持片を有している為、当該運搬用容器に収容物を収容し、収容物による荷重が底部に作用したとしても、当該底部の端縁が浮き上がることはなく、底部と側壁保持部材との接合が解除されることを低減し得る。
【００１６】
請求項３に係る運搬用容器において、前記側壁保持部材は、側壁挿入溝における内側保持片の上部又は下部の何れかに、延出補強部を有しており、当該延出補強部は、当該内側保持片の先端を更に延出して構成されている。即ち、延出補強部は、側壁挿入溝に挿入された容器基体の側壁部に対して、より広い面積をもって接触することになるため、容器基体の側壁部を、より強固に保持する機能を果たす。従って、当該運搬用容器によれば、側壁保持部材の側壁保持溝による容器基体の側壁部の保持を、より確実に行うことができ、利便性を高めることができる。
【００１７】
請求項４に係る運搬用容器において、前記側壁保持部材は、前記外側保持片の先端部分全体に傾斜部を有しており、当該傾斜部は、前記外側保持片における先端部分に向かうにつれて、当該外側保持片における外側面が内側面に近づくように傾斜している。即ち、傾斜部は、外側保持片の先端に向かうにつれて、容器基体の表面に近づくように傾斜している為、当該運搬用容器によれば、外側保持片と容器基体の表面との間に形成される段差を小さくすることができ、段差による引っ掛かり等の発生を抑制し、運搬作業等における利便性を高め得る。
【００１８】
請求項５に係る運搬用容器によれば、側壁保持部材は、前記側壁保持溝の上端部分に、補強保持部を有しており、補強保持部には、運搬用容器の開口縁を構成する前記容器基体における側壁部の端縁に沿って配設された棒状の補強部材が挿入される。これにより、運搬用容器の開口縁の内、軽量シート材からなる部分に、補強部材を配置した態様で保持することができるので、運搬用容器の開口縁の剛性を高めることができる。又、当該運搬用容器を段積みした場合等、運搬用容器の開口縁に対して、鉛直方向に作用する荷重に十分に対抗し得る。
【図面の簡単な説明】
【００１９】
【図１】本実施形態に係る運搬用容器の外観斜視図である。
【図２】本実施形態に係る運搬用容器の底面側を示す外観斜視図である。
【図３】本実施形態に係る容器基体の外観斜視図である。
【図４】本実施形態に係る側壁保持部材の外観斜視図である。
【図５】本実施形態に係る側壁保持部材における内側面の構成を示す外観斜視図である。
【図６】本実施形態に係る運搬用容器の鉛直断面図である。
【図７】本実施形態に係る運搬用容器の水平断面図である。
【図８】本実施形態に係る運搬用容器の底部保持溝近傍を示す鉛直断面図である。
【図９】本実施形態に係る運搬用容器を段積みした状態の外観斜視図である。
【図１０】本実施形態に係る運搬用容器を段積みした状態の鉛直断面図である。
【図１１】本実施形態に係る運搬用容器を段積みした状態における底部保持溝近傍を示す鉛直断面図である。
【発明を実施するための形態】
【００２０】
以下、本発明に係る運搬用容器を、運搬用容器１に適用した実施形態に基づいて、図面を参照しつつ詳細に説明する。先ず、本実施形態に係る運搬用容器１の構成について、図１〜図１１を参照しつつ説明する。
【００２１】
図１、図２に示すように、本実施形態に係る運搬用容器１は、軽量シート材（例えば、プラスチック気泡ボード、プラスチック段ボール、プラスチックハニカムボード、プラスチック発泡ボード等）からなる容器基体１０と、補強アングル材２０と、硬質プラスチックにより一体成型された側壁保持部材３０とを有しており、上方が開放された直方体状の箱体（コンテナ）を構成する。
【００２２】
容器基体１０は、上述したように、軽量シート材により構成されており、略長方形状に形成され、運搬用容器１の底面を構成する底部１１と、当該底部１１の長辺側に連結されている一対の長手側壁部１２とを有している（図３参照）。長手側壁部１２は、底部１１の長辺に沿って折り曲げることにより、運搬用容器１の長手側の側面を構成する。
【００２３】
各長手側壁部１２の上側部分には、持ち手孔１３が形成されている。当該持ち手孔１３は、本実施形態に係る運搬用容器１の長手側側面に位置し、段積み作業や運搬作業時に作業者によって把持される部分である。そして、各長手側壁部１２の端縁には、補強アングル材２０が配設されている。補強アングル材２０は、断面逆Ｕ字状を為す材軸方向に長い鋼材であり、長手側壁部１２を折り曲げた場合の上端となる端縁を覆うように配設されている。従って、補強アングル材２０は、運搬用容器１の長手側面を構成する長手側壁部１２の剛性を高めることができる。
【００２４】
本実施形態に係る運搬用容器１において、側壁保持部材３０は、硬質プラスチックにより水平断面略コの字状に一体成型され、図１、図２に示すように、運搬用容器１における短手側側面、その両側に位置する長手側側面の一部及び底面の一部を構成する。図４、図５に示すように、本実施形態に係る側壁保持部材３０は、運搬用容器１を運搬する際に把持される把持部３１と、側壁挿入溝３３と、底部保持溝３７と、支持部３９とを有している。
【００２５】
そして、側壁保持部材３０における両側端面（即ち、長手側壁部１２側に位置する側壁保持部材３０の端面）には、側壁挿入溝３３が、夫々形成されている（図５参照）。各側壁挿入溝３３は、側壁保持部材３０における側端面において、運搬用容器１の内側に位置する内側保持片３４と、運搬用容器１の外側に位置する外側保持片３５とによって形成されており、運搬用容器１の上下方向に向かって延びている。側壁挿入溝３３において、内側保持片３４と外側保持片３５との間隔は、容器基体１０の長手側壁部１２を構成する軽量シート材の厚みと同等となるように形成されており、夫々、側壁挿入溝３３内に長手側壁部１２の端縁全体を挿入可能に構成されている（図６〜図８参照）。
【００２６】
内側保持片３４は、側壁挿入溝３３の開口縁の内、運搬用容器１の内側部分に沿って形成された突片であり、当該内側保持片３４は、側壁挿入溝３３と同様に、運搬用容器１の上下方向に沿って伸びている（図５、図６参照）。当該内側保持片３４は、外側保持片３５と協働することで、側壁挿入溝３３内に挿入された長手側壁部１２の端部を、所定位置に保持する機能を果たす。
【００２７】
そして、内側保持片３４は、側壁挿入溝３３の上部及び下部に延出補強部３４Ａを有している。延出補強部３４Ａは、内側保持片３４における他の部分（運搬用容器１の高さ方向中段部分）よりも、より先端側に延出して形成されている。即ち、側壁挿入溝３３の深さは、内側保持片３４が形成された側壁挿入溝３３の上部及び下部において、より深くなっている（図５、図７参照）。従って、延出補強部３４Ａは、外側保持片３５と協働することで、側壁挿入溝３３内に挿入された長手側壁部１２の端部を、より確実に保持する機能を果たす。そして、側壁挿入溝３３の上部に形成された延出補強部３４Ａは、後述するアングル保持部３６の先端と、内側保持片３４における他の部分の先端とを繋ぐように形成されている。従って、側壁挿入溝３３の上部に位置する延出補強部３４Ａは、アングル保持部３６の補強として機能する。又、延出補強部３４Ａは、補強として機能することで、側壁保持部材３０に要する最低限の強度を維持しつつ、当該側壁保持部材３０の軽量化に寄与し得る。更に、各側壁保持部材３０の軽量化に伴い、運搬用容器１の軽量化に貢献し得る。
【００２８】
傾斜部３４Ｂは、内側保持片３４の先端部分において、上下の延出補強部３４Ａの間に形成されており、当該内側保持片３４の先端部分に向かうにつれて、内側保持片３４の外表面（運搬用容器１の内側に位置する面）が側壁挿入溝３３の内側に近づくように傾斜している。従って、側壁挿入溝３３に対して、長手側壁部１２を挿入した場合において、長手側壁部１２と内側保持片３４との間に形成される段差を、傾斜部３４Ｂによって小さくすることができ、収容作業時における引っ掛かりの発生を低減し得る。
【００２９】
図５に示すように、側壁挿入溝３３を構成する外側保持片３５は、対向配置された内側保持片３４よりも、容器基体１０の長手側壁部１２が延びる方向に長く形成されている。従って、前記容器基体１０の長手側壁部１２及び補強アングル材２０を、側壁挿入溝３３及びアングル保持部３６に取り付ける際に、外側保持片３５の内壁面に沿わすようにして、容器基体１０の長手側壁部１２及び補強アングル材２０を挿入することができる。即ち、外側保持片３５は、内側保持片３４よりも容器基体１０の長手側壁部１２が延びる方向に長く形成されることで、容器基体１０の長手側壁部１２及び補強アングル材２０を取り付ける際のガイドとして機能する。
【００３０】
図５、図７等に示すように、外側保持片３５の先端部分には、傾斜部３５Ｂが、先端部分全体にわたって形成されている。当該傾斜部３５Ｂは、当該外側保持片３５の先端部分に向かうにつれて、外側保持片３５の外表面（運搬用容器１の外側に位置する面）が側壁挿入溝３３の内側に近づくように傾斜している。従って、側壁挿入溝３３に対して、長手側壁部１２を挿入した場合において、長手側壁部１２表面と外側保持片３５との間に形成される段差を、傾斜部３５Ｂによって小さくすることができ、段積み作業や運搬作業時における引っ掛かりの発生を低減し得る。
【００３１】
図５、図６に示すように、各側壁挿入溝３３の上部には、アングル保持部３６がそれぞれ形成されている。各アングル保持部３６は、内側保持片３４における他の部分（運搬用容器１の高さ方向中段部分）より先端側へ延出しており、夫々、補強アングル材２０の端部を挿入可能に形成されている。従って、当該運搬用容器１においては、側壁挿入溝３３に対して、容器基体１０における長手側壁部１２の端部を挿入すると同時に、長手側壁部１２の端縁に配設された補強アングル材２０を、アングル保持部３６に挿入することができる。この時、アングル保持部３６に対して、補強アングル材２０を深く挿入することができるので、補強アングル材２０の保持部分を長くすることができ、アングル保持部３６による補強アングル材２０の保持力を高めることができる。
【００３２】
又、側壁挿入溝３３の上部に形成されるアングル保持部３６を先端側に延出するので、側壁保持部材３０の上面の面積を大きくすることができる。即ち、当該運搬用容器１を段積みした場合に、段積みした運搬用容器１の荷重を、硬質プラスチック製の側壁保持部材３０によって、広い面積をもって受けることができ、運搬用容器１を安定して段積みすることができる。
【００３３】
更に、上述したように、アングル保持部３６の下方に連続するように、延出補強部３４Ａが形成されているので、容器基体１０の長手側壁部１２と、補強アングル材２０を同時に覆う部分を増やすことができる。即ち、当該運搬用容器１は、延出補強部３４Ａとアングル保持部３６の協働により、長手側壁部１２、補強アングル材２０を、より確実に保持することができる。
【００３４】
そして、側壁保持部材３０は、運搬用容器１における下部（支持部３９の上面）に、底部保持溝３７を有している（図５、図６、図８参照）。底部保持溝３７は、図８に示すように、側壁保持部材３０の支持部３９の上面と内側保持片３８によって、容器基体１０側が開放された溝状に形成されており、運搬用容器１の水平方向に延びている。当該底部保持溝３７において、支持部３９上面と内側保持片３８との間隔は、容器基体１０の底部１１の厚みに対応して形成されており、容器基体１０における底部１１の端部全体を挿入可能に構成されている。
【００３５】
側壁保持部材３０の下端縁には、支持部３９が形成されており、支持部３９は、当該運搬用容器１の短手側面近傍に位置する底面の一部を構成し、運搬用容器１全体を支持している。尚、当該支持部３９は、図８に示すように、底部保持溝３７の一部を構成しており、底部保持溝３７の下部に位置しているので、本発明における底部保持溝３７の外側保持片として機能している。
【００３６】
図５、図８等に示すように、底部保持溝３７の外側保持片に相当する支持部３９は、対向配置された内側保持片３８よりも、容器基体１０の底部１１が延びる方向に長く形成されている。従って、前記容器基体１０の底部１１を、底部保持溝３７に取り付ける際に、支持部３９の内壁面（即ち、支持部３９の上面）に沿わすようにして、容器基体１０の底部１１を挿入することができる。即ち、支持部３９の上面は、内側保持片３８よりも容器基体１０の底部１１が延びる方向に長く形成されることで、容器基体１０の底部１１を取り付ける際のガイドとして機能する。
【００３７】
側壁挿入溝３３及び底部保持溝３７において、外側保持片３５及び支持部３９を、内側保持片３４、内側保持片３８よりも、先端側に延出して形成することで、本実施形態に係る運搬用容器１によれば、外側保持片３５及び支持部３９を、容器基体１０の底部１１、長手側壁部１２及び補強アングル材２０を同時に取り付ける際のガイドとして機能させることができる。
【００３８】
支持部３９には、底部保持溝３７の開口縁側にあたる先端部分に、底側傾斜部３９Ｂが形成されている。底側傾斜部３９Ｂは、当該先端部分の全体にわたって形成されている。当該底側傾斜部３９Ｂは、当該外側保持片として機能する支持部３９の先端部分に向かうにつれて、支持部３９の下面（運搬用容器１の接地面）が底部保持溝３７の内側に近づくように、上方に向かって傾斜している。従って、底部保持溝３７に対して、底部１１を挿入した場合において、底部１１表面と支持部３９との間に形成される段差を、底側傾斜部３９Ｂによって小さくすることができ、段積み作業や運搬作業時における引っ掛かりの発生を低減し得る。
【００３９】
そして、側壁保持部材３０は、図４、図５に示すように、複数の基体固定部４０を有している。基体固定部４０は、夫々、側壁挿入溝３３、アングル保持部３６、底部保持溝３７近傍に形成されており、当該基体固定部４０を利用した溶着、ネジ止め或いはリベット止めによって、底部１１、長手側壁部１２、補強アングル材２０を強固に固定している。
【００４０】
以上のように構成することによって、本実施形態に係る運搬用容器１は、容器基体１０における各長手側壁部１２の端部全体を、上下方向に延びた側壁挿入溝３３によって保持している（図６〜図８参照）。従って、当該運搬用容器１によれば、内側保持片３４と外側保持片３５の間に、容器基体１０の長手側壁部１２を挟持することができるので、長手側壁部１２に対する負荷に対抗することができ、確実に長手側壁部１２を保持することができる。これにより、運搬用容器１の長手側における容器基体１０と側壁保持部材３０の接合が分離することがなくなるため、当該運搬用容器１によれば、運搬用容器１を取り扱う際の利便性を高めることができる。
【００４１】
又、当該運搬用容器１においては、容器基体１０における底部１１の端部全体を、水平方向に延びた底部保持溝３７によって保持している（図６〜図８参照）。従って、当該運搬用容器１によれば、内側保持片３８と支持部３９上面の間に、容器基体１０の底部１１を挟持することができるので、底部１１に対する荷重に対抗することができ、確実に底部１１を保持することができる。又、内側保持片３８と支持部３９上面の間に、容器基体１０の底部１１を挟持している為、底部１１に荷重がかかった場合でも、底部１１が撓んで端部が浮き上がることはない。これにより、運搬用容器１の底面側における容器基体１０と側壁保持部材３０の接合が分離することがなくなるため、当該運搬用容器１によれば、運搬用容器１を取り扱う際の利便性を高めることができる。
【００４２】
そして、側壁挿入溝３３の内側保持片３４における上部及び下部に、延出補強部３４Ａが形成されていることにより、各延出補強部３４Ａの形成位置においては、長手側壁部１２は、側壁挿入溝３３に対して深く挿入されていることになる（図７、図８等参照）。これにより、運搬用容器１の側壁部分における容器基体１０と側壁保持部材３０の接合を、より強固にすることができ、運搬用容器１を取り扱う際の利便性を高めることができる。
【００４３】
又、側壁挿入溝３３の内側保持片３４には、傾斜部３４Ｂが形成されており、長手側壁部１２と内側保持片３４との間の段差を小さくしている。従って、当該運搬用容器１の内部に収容物を収容した場合に、当該段差に収容物が引っ掛かる可能性を低減することができ、運搬用容器１に対して収容物を収容する際の利便性を高め得る。
【００４４】
そして、側壁挿入溝３３の外側保持片３５には、傾斜部３５Ｂが形成されており、底部保持溝３７の支持部３９には、底側傾斜部３９Ｂが形成されており、運搬用容器１の外面側において、容器基体１０表面と側壁保持部材３０の表面との間における段差を小さくすることができる。これにより、運搬用容器１の運搬作業や段積み作業等を行う上で、運搬用容器１の外表面における段差によって引っ掛かる可能性を低減することができ、運搬作業等を行う際の利便性を高め得る。
【００４５】
図６、図８等に示すように、側壁挿入溝３３の上部にアングル保持部３６を有しているので、当該運搬用容器１における開口縁を構成する長手側壁部１２の上端縁に、補強アングル材２０を保持することができる。これにより、当該運搬用容器１は、運搬用容器１に対して鉛直方向に作用する荷重に十分に対応可能となる。
【００４６】
そして、図９に示すように複数の運搬用容器１を段積みした場合には、下方の運搬用容器１の開口縁を構成する側壁保持部材３０の上面には、上方の運搬用容器１の支持部３９の周縁にあたる部分が接触する（図１０、図１１参照）。つまり、側壁保持部材３０の下面において、下方に突出形成された支持部３９が、下方に位置する運搬用容器１の開口縁に沿って配置されるので、当該運搬用容器１によれば、運搬用容器１を段積みした場合における位置ずれを防止することができる。
【００４７】
又、運搬用容器１を段積みした場合に、下方に位置する運搬用容器１の側壁保持部材３０上面は、上方に位置する運搬用容器１の側壁保持部材３０における支持部３９周辺部分を支持している（図１０、図１１参照）。即ち、硬質プラスチック製の側壁保持部材３０によって、上方に位置する運搬用容器１の荷重を受けているので、当該運搬用容器１は、段積み等に伴う荷重に対応することができ、利便性を高めることができる。
【００４８】
以上説明したように、本実施形態に係る運搬用容器１は、図１に示すように、軽量シート材により形成された容器基体１０と、硬質プラスチック製の側壁保持部材３０を有しており、上方が開放された箱体状に構成されている。図４、図５に示すように、側壁保持部材３０は、容器基体１０における長手側壁部１２の端縁全体が挿入される側壁挿入溝３３を有しており、当該側壁挿入溝３３は、各側壁保持部材３０において、上下方向に伸びている。
【００４９】
従って、当該運搬用容器１によれば、相互に対向する長手側壁部１２の端縁全体を、側壁挿入溝３３を構成する内側保持片３４と、外側保持片３５の間に挟持して、上下方向に沿った状態で保持することができる（図６参照）。これにより、当該運搬用容器１は、容器基体１０と側壁保持部材３０の接合を確実に行うことができ、利便性を高めることができる。
【００５０】
又、当該運搬用容器１によれば、側壁保持部材３０の下部には、底部保持溝３７が水平方向に延びており、前記容器基体１０の底部１１における端縁全体を保持している。これにより、側壁保持部材３０における容器基体１０の底部１１の保持を、底部保持溝３７を構成する支持部３９上面、内側保持片３８によって、底部１１の端縁全体にわたって行うことができるので、容器基体１０と側壁保持部材３０の接合を確実に行うことができ、利便性を高めることができる。又、底部保持溝３７は、支持部３９上面、内側保持片３８によって、底部１１を挟持している為、当該運搬用容器１に収容物を収容し、収容物による荷重が底部１１に作用したとしても、当該底部１１の端縁が浮き上がることはなく、底部１１と側壁保持部材３０との接合が解除されることを低減し得る。
【００５１】
そして、前記側壁保持部材３０は、側壁挿入溝３３における内側保持片３４の上部及び下部に、延出補強部３４Ａを有しており、当該延出補強部３４Ａは、当該内側保持片３４の先端を更に延出して構成されている（図５等参照）。即ち、延出補強部３４Ａは、側壁挿入溝３３に挿入された容器基体１０の長手側壁部１２に対して、より広い面積をもって接触することになるため、容器基体１０の長手側壁部１２を、より強固に保持する機能を果たす。従って、当該運搬用容器１によれば、側壁保持部材３０の側壁挿入溝３３による容器基体１０の長手側壁部１２の保持を、より確実に行うことができ、利便性を高めることができる。
【００５２】
前記側壁保持部材３０は、前記側壁挿入溝３３の外側保持片３５の先端部分全体に、傾斜部３５Ｂを有しており、底部保持溝３７における支持部３９の先端部分全体に、底側傾斜部３９Ｂを有している。傾斜部３５Ｂ、底側傾斜部３９Ｂは、何れも先端側に向かうにつれて、容器基体１０の表面に近づくように傾斜している為、当該運搬用容器１によれば、外側保持片３５と容器基体１０の表面との間に形成される段差を小さくすることができ、段差による引っ掛かり等の発生を抑制し、運搬作業等における利便性を高め得る。
【００５３】
当該運搬用容器１は、図６、図８等に示すように、側壁挿入溝３３の上部にアングル保持部３６を有しているので、当該運搬用容器１における開口縁を構成する長手側壁部１２の上端縁に、補強アングル材２０を保持することができる。これにより、当該運搬用容器１は、運搬用容器１に対して鉛直方向に作用する荷重に十分に対応可能となる。
【００５４】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、運搬用容器１として、上方が開放された略直方体状の箱体を為すように構成していたが、この態様に限定されるものではなく、略立方体状であってもよい。
【００５５】
そして、本発明において、延出補強部は、前記側壁挿入溝の上部又は下部において、内側保持片の他の部分よりも、先端側に延出するように構成すればよく、上述した実施形態のように、アングル保持部の先端と内側保持片の他の部分とをつなぐ態様に限定されるものではない。例えば、アングル保持部のみを延出補強部としてもよいし、アングル保持部を除いて、内側保持片の先端側を延出した部分を本発明における延出補強部としてもよい。上述した実施形態における延出補強部及びアングル保持部を、本発明における延出補強部として把握することも可能である。
【符号の説明】
【００５６】
１      運搬用容器
１０    容器基体
１１    底部
１２    長手側壁部
２０    補強アングル材
３０    側壁保持部材
３３    側壁挿入溝
３４    内側保持片
３４Ａ  延出補強部
３５    外側保持片
３５Ｂ  傾斜部
３７    底部保持溝
３９    支持部
３９Ｂ  底側傾斜部
【図１】
2015145278.tif 000003
【図２】
2015145278.tif 000004
【図３】
2015145278.tif 000005
【図４】
2015145278.tif 000006
【図５】
2015145278.tif 000007
【図６】
2015145278.tif 000008
【図７】
2015145278.tif 000009
【図８】
2015145278.tif 000010
【図９】
2015145278.tif 000011
【図１０】
2015145278.tif 000012
【図１１】
2015145278.tif 000013